(57)【要約】      （修正有）【課題】シール貼付後の生産ラインや輸送中などに容器が接触し、振動する状況下において、隣接する容器のシールが接触して引っ掛かり、シール同士が干渉することによって生じるシールの折れやシール破れなど、貼付シールの破損や容器からの剥離を防止する機能を有するシールを提供する。【解決手段】頂角αが１０〜１６０゜の二等辺三角形に内接する形状を有する容器貼付用シールであって、容器に貼付された状態において、複数の容器が接触した場合、前記複数の容器の各々に貼付された複数のシールが互いに干渉しない形状を有する容器貼付用シールである。【選択図】図１
0003147481.tif 000002
【実用新案登録請求の範囲】
【請求項１】
容器貼付用のシールであって、容器に貼付された状態において、複数の容器が接触した場合、前記複数の容器の各々に貼付された複数のシールが互いに干渉することによって生じる破損および容器からの剥離を防止する形状を有する容器貼付用シール。
【請求項２】
前記シールの形状が、前記複数の容器の各々に貼付された複数のシールが互いに干渉しない形状である請求項１に記載の容器貼付用シール。
【請求項３】
前記シールの形状が、前記複数の容器の各々に貼付された複数のシールが互いに干渉したとき、干渉から離脱可能な形状である請求項１に記載の容器貼付用シール。
【請求項４】
頂角αが１０〜１６０゜の二等辺三角形に内接する形状である請求項２に記載の容器貼付用シール。
【請求項５】
少なくとも、表示部、貼付部および前記表示部と前記貼付部とを連結する支持部とを有する請求項３に記載の容器貼付用シール。
【請求項６】
ポリプロピレン系、ポリエチレン系、ポリエステル系、ポリアミド系、ポリスチレン系、ポリ塩化ビニル系、ポリ塩化ビニリデン系、エチレン・酢酸ビニル共重合体系よりなる群から選択されるプラスチック樹脂、アルミニウム箔または紙またはそれらの組合せからなる単層または多層のフィルムで作製される請求項１〜５いずれか１に記載の容器貼付用シール。
【考案の詳細な説明】
【技術分野】
【０００１】
本考案は、飲料用容器等の容器に貼付するシールに関する。本考案にかかるシールは、容器に貼付された状態で生産ラインや輸送中に、隣接する容器が接触したときでも、複数のシールが干渉して破損することを防止可能な形状を有することを特徴とする。
【背景技術】
【０００２】
従来、飲料商品は店頭において消費者に対する視認性および広告効果の向上を目的として、商品本体に貼付される商品ラベルや熱収縮ラベルのほかに、商品名やキャッチコピーを強調的に記した略矩形状のシールを付加的に貼付することが行われてきた。
【０００３】
従来、シール貼付後の生産ラインや輸送中などに容器が接触し、振動する状況下において、隣接する容器のシールが接触して引っ掛かり、シールの折れやシール破れなど、貼付シールの破損を生じていた。また、シール貼付部の剥離も生じていた。シールが剥離してしまうと、シールの接着力が低下してしまう。さらに、剥離した部分から剥離現象が広がることが懸念される。その結果、商品の美観を損ねることとなり、商品価値を低下するとともに、なにより本来期待すべき広告機能が十分に発揮されないという問題があった。
かかる破損や剥離を防止するために、シール素材として柔軟性を有するものを採用する、略矩形状のシールの角部に丸みをもたせるなどの対応が図られているが、有効ではなく、折れ曲がった際に圧力が加わることによりシールに折れ目が付くという問題は解決されていなかった。
【考案の開示】
【考案が解決しようとする課題】
【０００４】
シール貼付後の生産ラインや輸送中などに容器が接触し、振動する状況下において、隣接する容器のシールが接触して引っ掛かり、シール同士が干渉することによって生じるシールの折れやシール破れなど、貼付シールの破損や容器からの剥離を防止する機能を有するシールを提供する。
【課題を解決するための手段】
【０００５】
本考案者らは、かかる状況に鑑みて鋭意検討を行った結果、従来の略矩形状のシールは、容器の中心軸に対して、シール端部が略平行であるために、容器が接触する際にシール端部が干渉し合い、かつ、破損を生ずることなく離脱できないことが分かった。
【０００６】
本考案者はさらに検討を行って、容器貼付用のシールを容器に貼付したときに、シール端部が容器の中心軸に対して一定角度以上傾斜していれば、隣接する容器が接触してもシールが干渉しないこと、および、シールの一部を撓みやすい形状とすれば干渉したとしても、破損を生ずることなく離脱できることを明らかにした。
【０００７】
本考案において、容器とは、飲料等の液状組成物、ペースト等の粘稠組成物、粉末等の固体組成物など、様々な形態の組成物を収容するものであって、例えば、用途により３０ｍＬ、５０ｍＬ、１００ｍＬなど種々の容量を有するドリンク剤用容器やアンプル形状の容器を含み、その大きさは限定されない。
また、容器の素材も限定されず、ガラス、プラスチック等、目的とする組成物を収容することができれば、いかなる素材にも限定されない。
【０００８】
すなわち、本考案は、
（１）容器貼付用のシールであって、容器に貼付された状態において、複数の容器が接触した場合、前記複数の容器の各々に貼付された複数のシールが互いに干渉することによって生じる破損および容器からの剥離を防止する形状を有する容器貼付用シール；
（２）前記シールの形状が、前記複数の容器の各々に貼付された複数のシールが互いに干渉しない形状である（１）に記載の容器貼付用シール；
（３）前記シールの形状が、前記複数の容器の各々に貼付された複数のシールが互いに干渉したとき、干渉から離脱可能な形状である（１）に記載の容器貼付用シール；
（４）頂角αが１０〜１６０゜の二等辺三角形に内接する形状である前記（２）に記載の容器貼付用シール；
（５）少なくとも、表示部、貼付部および前記表示部と前記貼付部とを連結する支持部とを有する前記（３）に記載の容器貼付用シール；および
（６）ポリプロピレン系、ポリエチレン系、ポリエステル系、ポリアミド系、ポリスチレン系、ポリ塩化ビニル系、ポリ塩化ビニリデン系、エチレン・酢酸ビニル共重合体系よりなる群から選択されるプラスチック樹脂、アルミニウム箔または紙またはそれらの組合せからなる単層または多層のフィルムで作製される前記（１）〜（５）いずれか１に記載の容器貼付用シール
を提供する。
【考案の効果】
【０００９】
本考案に係るシールを用いれば、シール貼付後の生産ラインや輸送中などに容器が接触し、振動する状況下においても、シール同士が干渉することによって生じる、シールの折れやシール破れなど貼付シールの破損や、容器からの剥離を防止することができる。
【考案を実施するための最良の形態】
【００１０】
以下、比較例および実施例を示して本考案を詳細に説明するが、本考案はこれらに記載の実施の形態に限定されない。
【００１１】
［比較例］
飲料用ガラス容器の一例を図５に示す。飲料用ガラス容器３は、容器本体３１およびキャップ３２から構成されている。容器本体３１は円筒状の形状を有し、胴部３１１、頚部３１２および図示しないが口部３１３を含む。口部３１３はキャップ３２と嵌合する。この図は、容器３の中心軸３１４も示す。
【００１２】
従来のシール４は、矩形の基本形状を有し、角部に丸みがつけられている。
シール４の表面は、自由に文字やイラストを記載することができる表示部であり、シール４の裏面には、容器本体またはキャップに貼付するために接着部が形成されている。
【００１３】
従来の略矩形状のシール４を貼付した２本の飲料用ガラス容器３が隣接して配置された状態を示す概略側面図を図６に示す。
シール４に記載された文字やイラストの視認性および広告効果を考慮して、シール４が容器本体３１の頚部３１２に配置され、かつ、シール４の上端が容器本体３１に取り付けたキャップ３２から突出しないように、シール４を容器本体３１の上部に貼付した。
【００１４】
図６ａは、２枚のシール４が非干渉の状態を示し、図６ｂは、２枚のシール４が干渉する直前の状態を示す。図６ｃは、さらに、２枚のシール４が干渉から離脱できず、破損した状態を示す。
【００１５】
このように、シールの形状が略矩形状の場合、生産ラインや輸送中などに容器が接触したときに、複数のシールが干渉し、かつ、干渉から離脱できないため、シールの破損や剥離を発生させることが確認された。
【００１６】
［実施例］
１．第１の実施形態
シールを貼付した飲料用容器が接触した場合でも、複数のシールが干渉しない形状を有する第１の実施形態のシール１の具体例のいくつかを図１に示す（シールａ〜ｄ）。
【００１７】
シールａは、直線状の底辺と円弧とを組合せた形状を有する。シールａの形状は、頂角αが１０〜１６０゜の二等辺三角形に内接し、前記底辺側から先細りする形状である。シールａは鋭角の角部が存在しないよう丸みが付けられている。
【００１８】
シールｂは、直線状の底辺と直線状の三辺を含む略台形の形状を有する。シールｂの形状は、頂角αが１０〜１６０゜の二等辺三角形に内接し、前記底辺側から先細りする形状である。シールｂは鋭角の角部が存在しないよう丸みが付けられている。
【００１９】
シールｃは、直線状の底辺と直線状の二辺と円弧とを組合せた形状を有する。シールｃの形状は、頂角αが１０〜１６０゜の二等辺三角形に内接し、前記底辺側から先細りする形状である。シールｃは鋭角の角部が存在しないよう丸みが付けられている。
【００２０】
シールｄは、直線状の底辺と直線状の二辺を含む略三角形の形状を有する。シールｄの形状は、頂角αが１０〜１６０゜の二等辺三角形に内接し、前記底辺側から先細りする形状である。シールｄは鋭角の角部が存在しないよう丸みが付けられている。
【００２１】
本考案に係るシール１を容器本体に適切に貼付した状態であれば、生産ラインや輸送中などに容器が接触しても、複数のシールが干渉しない。
【００２２】
本考案に係るシール１を容器本体に適切に貼付した状態とは、シールが内接する仮想的な二等辺三角形の頂角を挟む二辺のいずれもが容器本体の中心軸と平行にならないように配置したとき、この仮想的な二等辺三角形に内接するシールを容器本体に貼付した状態をいう。
【００２３】
一例として、シールａを飲料用容器３の容器本体３１に適切に貼付した状態を図２に示す。
容器本体の側面から観察したとき、頂角αを有する仮想的な二等辺三角形の頂点を容器本体の中心軸３１４に一致させ、かつ、その対称軸を容器本体の中心軸３１４に一致させて、この仮想的な二等辺三角形に内接するシールを容器本体に貼付した。
図２において、二等辺三角形の頂角を角度βで表記したのは、シールａが内接する二等辺三角形の頂角が角度αであれば、シールａを円筒状の容器本体に貼付したときに、シールａの両端に接する直線のなす角度が小さくなるからであり、角度β＜角度αである。
このように、シールを適切に貼付すれば、生産ラインや輸送中などに容器が接触しても、複数のシールが干渉しないことが確認された。
【００２４】
図２において、シールが内接する仮想的な二等辺三角形の頂点を容器本体の中心軸３１４に一致させ、かつ、その対称軸を容器本体の中心軸３１４に一致させて、この仮想的な二等辺三角形に内接するシールを容器本体に貼付したが、シールの対称軸を容器本体の中心軸に一致させることも、シールを左右対称の形状とすることも、本考案の本質ではない。
【００２５】
これらの図において、シール１は容器本体３１に貼付され、容器の上方に向かって先細りする形状であるが、シールをキャップに貼付する場合、容器の下方に向かって先細りする形状としてもよい。
【００２６】
本考案に係るシールにおいて、その表面を表示部１１とし、裏面の一箇所に接着部１２を形成して、容器本体またはキャップのいずれかに貼付することができる。また、接着部１２ａ,１２ｂをシールの下部および上部の二箇所に形成すれば容器本体およびキャップの双方に貼付することもできる（図３）。
【００２７】
本考案に係るシールは、ポリプロピレン系、ポリエチレン系、ポリエステル系、ポリアミド系、ポリスチレン系、ポリ塩化ビニル系、ポリ塩化ビニリデン系、エチレン・酢酸ビニル共重合体系のほか、プラスチック樹脂、アルミニウム、紙などの材料からなる単層または多層のフィルムからなる。
【００２８】
上記シールａ〜ｄは、本考案に係るシールを説明するための具体的態様のいくつかの例示にすぎない。シールａ〜ｄは、容器に貼付する側に直線状の底辺を有しているが、頂角αが１０〜１６０゜の二等辺三角形に内接する形状であれば、容器に貼付する側の形状は容器本体に元来貼付されているラベルに記載の文字やイラストとの関係に応じて、いかなる形状としてもよい。
【００２９】
２．第２の実施形態
シールを貼付した飲料用容器が接触した場合、複数のシールが干渉しても、干渉からの離脱が容易な形状を有する第２の実施形態のシール２の具体例（シールｅ）を図４に示す。
シールｅは、文字やイラストを記載する表示部２１、飲料用容器に貼付するための貼付部２２および前記表示部と前記貼付部とを連結する支持部２３を有する形状である。貼付部２２の裏面には接着部２４が形成される。
このように、シールｅは、文字やイラストを記載するための有効面積および飲料用容器に貼付するための接着面積を十分に確保しつつ、表示部や貼付部よりも細い支持部で両者を連結することによって、シールｅが干渉しても、容易に干渉から離脱することができる。
【図面の簡単な説明】
【００３０】
【図１】本考案に係る第１の実施形態の容器貼付用シールの概略図。
【図２】本考案に係る第１の実施形態の一の態様の容器貼付用シールが容器に適切に貼付された状態を示す概略図。
【図３】本考案に係る第１の実施形態の容器貼付用シール裏面の概略図。
【図４】本考案に係る第２の実施形態の容器貼付用シールの概略図。
【図５】飲料用ガラス容器の概略図。
【図６】従来の略矩形状の容器貼付用シールを容器に適切に貼付した状態で、シール同士が干渉することを示す概略図。
【符号の説明】
【００３１】
１・・・本考案に係る第１の実施形態のシール
１１・・・表示部
１２・・・接着部
２・・・本考案に係る第２の実施形態のシール
２１・・表示部
２２・・貼付部
２３・・支持部
２４・・接着部
３・・・飲料用容器
３１・・容器本体
３１１・胴部
３１２・頚部
３１３・口部
３２・・キャップ
４・・・従来の略矩形状のシール
【図１】
0003147481.tif 000003
【図２】
0003147481.tif 000004
【図３】
0003147481.tif 000005
【図４】
0003147481.tif 000006
【図５】
0003147481.tif 000007
【図６】
0003147481.tif 000008
【手続補正書】
【提出日】平成20年10月23日(2008.10.23)
【手続補正１】
【補正対象書類名】実用新案登録請求の範囲
【補正対象項目名】全文
【補正方法】変更
【補正の内容】
【実用新案登録請求の範囲】
【請求項１】
頂角αが１０〜１６０゜の二等辺三角形に内接する形状を有する容器貼付用シールであって、容器に貼付された状態において、複数の容器が接触した場合、前記複数の容器の各々に貼付された複数のシールが互いに干渉しない形状を有する容器貼付用シール。
【請求項２】
直線状の底辺と円弧とを組合せた形状であって、前記底辺側から先細りする形状を有する請求項１に記載の容器貼付用シール。
【請求項３】
直線状の底辺と直線状の三辺を含む略台形の形状であって、前記底辺側から先細りする形状を有する請求項１に記載の容器貼付用シール。
【請求項４】
直線状の底辺と直線状の二辺と円弧とを組合せた形状であって、前記底辺側から先細りする形状を有する請求項１に記載の容器貼付用シール。
【請求項５】
直線状の底辺と直線状の二辺を含む略三角形の形状であって、前記底辺側から先細りする形状を有する請求項１に記載の容器貼付用シール。
【請求項６】
ポリプロピレン系、ポリエチレン系、ポリエステル系、ポリアミド系、ポリスチレン系、ポリ塩化ビニル系、ポリ塩化ビニリデン系、エチレン・酢酸ビニル共重合体系よりなる群から選択されるプラスチック樹脂、アルミニウム箔または紙またはそれらの組合せからなる単層または多層のフィルムで作製される請求項１〜５いずれか１に記載の容器貼付用シール。